(57)【要約】【課題】コピー装置側に再生機能を別途付加することなく、コピー元の情報を適宜再生できる情報再生装置を提供する。【解決手段】カードアダプタ３０は、メモリカードと同一の外形形状を有している。また、メモリカードのコネクタと同一のコネクタを有している。かかるカードアダプタ３０をコピー装置に装着すると、コピー装置は、カードアダプタ３０をメモリカードとして認識する。コピー装置からファイルシステム情報の転送要求がなされると、ＲＯＭ３０４内の疑似ファイルシステム情報がコピー装置に転送される。コピー装置にコピー指令が入力されると、コピー元メモリのデータがコピー装置からカードアダプタに転送される。カードアダプタ３０は、転送されたデータをデータデコーダ３０９からヘッドホンアンプ３１１の再生系にて再生し、ピンジャック３２から出力する。【選択図】　　　　図５
2004086237.tif 000002
【特許請求の範囲】
【請求項１】
コピー装置側の外部メモリ装着部に装着可能な外形形状を有すると共に、前記外部メモリ装着部に配された給電及び信号送受信用のコネクタに接合可能なコネクタを有する情報再生装置であって、
所定のファイルシステム情報を記憶するファイルシステム情報記憶手段と、
前記コピー装置から前記コネクタを介して送信されたアドレス情報を解析するアドレス情報解析手段と、
前記コピー装置から前記コネクタを介して送信された制御情報を解析する制御情報解析手段と、
前記アドレス情報解析手段によって前記外部メモリ上における前記ファイルシステム情報の記憶アドレスが指定されたことが検出され、且つ、前記制御情報解析手段によって前記外部メモリからのデータ読み出し指令がなされたことが検出されたことに応じて、前記ファイルシステム記憶手段から前記ファイルシステム情報を読み出し、これを前記コピー装置に送信するファイルシステム情報送信手段と、
前記コピー装置から前記コネクタを介して送信された情報を再生する再生手段と、
前記制御情報解析手段によって前記外部メモリへのデータ書き込み指令がなされたことが検出されたことに応じて、前記コピー装置から前記コネクタを介して送信された情報を前記再生手段に供給する情報供給手段と、
を有することを特徴とする情報再生装置。
【請求項２】
請求項１において、
前記コピー装置に装着可能な外部メモリであることを擬似的に表示する情報を、前記コネクタを介して前記コピー装置側に供給する疑似情報表示手段を有することを特徴とする情報再生装置。
【請求項３】
請求項１または２において、
前記コピー装置から前記コネクタを介して送信されたファイルシステム情報を別途記憶する第２のファイルシステム情報記憶手段を備え、
前記コピー装置からファイルシステム情報の再送信要求があった場合に、当該第２のファイルシステム情報記憶手段に記憶されたファイルシステム情報を、前記コネクタを介して前記コピー装置に送信することを特徴とする情報再生装置。
【請求項４】
コピー装置側の外部メモリ装着部に装着可能な外形形状を有すると共に、前記外部メモリ装着部に配された給電及び信号送受信用のコネクタに接合可能なコネクタを有する情報再生装置であって、
所定のファイルシステム情報を記憶するファイルシステム情報記憶手段と、
前記コピー装置からファイルシステム情報の再送信要求があった場合に、前記ファイルシステム情報記憶手段に記憶されたファイルシステム情報を、前記コネクタを介して前記コピー装置に送信するファイルシステム情報送信手段と、
前記コピー装置から前記コネクタを介して送信された情報を再生する再生手段と、
前記コピー装置から前記外部メモリへの情報書き込み要求があった場合に、前記コピー装置から前記コネクタを介して送信された情報を前記再生手段に供給する情報供給手段と、
を有することを特徴とする情報再生装置。
【請求項５】
請求項１ないし４の何れかにおいて、
前記コピー装置から送信された情報を解析しその内容を識別する情報解析手段と、
前記コピー装置から送信された情報が前記再生手段に適合するものではない場合に、所定のエラー表示を行わしめるエラー表示手段と、
をさらに備えることを特徴とする情報再生装置。
【請求項６】
請求項５において、
前記エラー表示手段は、コピー装置側にエラー表示を行わしめるための情報を、前記コネクタを介して前記コピー装置に出力する手段を含むことを特徴とする情報再生装置。
【請求項７】
請求項６において、
前記エラー表示手段は、前記コピー装置に外部メモリが適正に装着されていないことを擬似的に表示する情報を、前記コネクタを介して前記コピー装置に供給することを特徴とする情報再生装置。
【請求項８】
請求項７において、
前記エラー表示手段は、前記コネクタの端子のうち、メモリ識別用の端子上の信号を外部メモリ非装着状態に変更することを特徴とする情報再生装置。
【請求項９】
請求項１ないし４の何れかにおいて、
前記コピー装置から送信された情報を解析しその内容を識別する情報解析手段と、
前記コピー装置から送信された情報が前記再生手段に適合するものではない場合に、前記コピー装置のコピー動作を中段せしめるコピー中断手段と、
をさらに備えることを特徴とする情報再生装置。
【請求項１０】
請求項９において、
前記コピー中断手段は、前記コピー装置に外部メモリが適正に装着されていないことを擬似的に表示する情報を、前記コネクタを介して前記コピー装置に供給することを特徴とする情報再生装置。
【請求項１１】
請求項１０において、
前記コピー中断手段は、前記コネクタの端子のうち、メモリ識別用の端子上の信号を外部メモリ非装着状態に変更することを特徴とする情報再生装置。
【請求項１２】
請求項９ないし１１の何れかにおいて、
前記コピー中断手段によるコピー動作の中断処理の後、前記コピー装置に装着可能な外部メモリが新たに装着されたことを擬似的に表示する情報を、前記コネクタを介して前記コピー装置に出力する再装着疑似表示手段とをさらに有する、ことを特徴とする情報再生装置。
【請求項１３】
請求項１２において、
前記コピー装置によるコピー動作が中断されたことを検出するコピー中断検出手段をさらに有し、
前記再装着疑似表示手段は、当該コピー中断検出手段にてコピー動作の中断が検出されたことに応じて、前記コピー装置に装着可能な外部メモリが新たに装着されたことを擬似的に表示する情報を、前記コネクタを介して前記コピー装置に出力する、
ことを特徴とする情報再生装置。
【発明の詳細な説明】
【０００１】
【発明の属する技術分野】
本発明は、情報再生装置に関し、特に、メモリカード等の外部メモリに代えてコピー装置に装着することによりコピー元の情報を簡易に再生できるものに関する。
【０００２】
【従来の技術】
機器や装置の使用形態に応じて、種々の外部メモリが開発され商品化されている。たとえば、ハードディスクや光磁気ディスク等のディスクメモリは、高容量である反面、ドライブ装置の外形寸法が大きいことから、据え置き型の装置に内蔵され使用される場合が多い。また、メモリカード等の半導体メモリは、ディスクメモリに比べ容量は小さいが、ドライブ装置が不要であるため、携帯用の装置に内蔵され使用される場合が多い。さらに、ディスクメモリであっても、ディスク自体の小型・高密度化およびドライブ装置の外形寸法の小型化を図ることにより、携帯型の装置に内蔵され使用される場合もある。半導体メモリにあっても、異なる規格に従った数種の半導体メモリが商品化されている。このように、市場には多種多様の外部メモリが導入されており、その中から本体装置の特徴に最も整合するとされる外部メモリが任意に選択され使用されている。
【０００３】
ユーザ側においては、所定の外部メモリに蓄積した情報を他の外部メモリにコピーしたい場合が生じる。たとえば、デジタルカメラにて撮影しメモリカードに蓄積した画像情報を大容量のディスクメモリにコピーし、ディスクメモリ上に画像ライブラリを生成する、あるいは、ディスクメモリに蓄積したＭＰ３データをメモリカードにコピーし、携帯型ＭＰ３プレーヤにて視聴するといったような場合である。
【０００４】
かかるユーザのニーズに応じて、近年、種々のコピー装置が開発され商品化されている。たとえば、株式会社飛鳥社販売のコピー装置（商標「ＴＲＩＰＰＥＲ」）では、メモリカードに蓄積された画像情報を内蔵ハードディスクにコピーすることができ、さらに、ハードディスク上の画像情報を、ケーブルを介してパーソナルコンピュータに転送することもできる。また、三洋電機株式会社製ＩＤＳ−Ｍ１では、光磁気ディスクとメモリカード間でデータを相互にコピーすることができる。
【０００５】
【発明が解決しようとする課題】
しかしながら、これらのコピー装置は、何れも、本来のコピー機能を実現するためにのみ利用されている。かかるコピー装置は、通常、携帯可能な外形寸法を有しているので、コピー以外の機能をも付加的に実現できた方が、ユーザにとって好ましい場合もあり得る。特に、コピー装置には、外部メモリから情報を読み出すための手段が予め備えられているので、かかる読み出し手段の動作を利用して、外部メモリ内の情報を適宜読み出して再生できるようにすることも可能である。
【０００６】
ただし、コピー装置側に別途再生機能を付加すると、コピー装置自体のコストがその分上昇することとなり、当該再生機能を欲しないユーザにとっては、却って商品価値を低下させる要因ともなり得る。さらに、かかる付加的な再生機能は、既存のコピー装置においても同時に実現できた方が、既にコピー装置を所有しているユーザにとって好ましいものとなる。
【０００７】
そこで、本発明は、コピー装置側に再生機能を別途付加することなく、コピー元の情報を適宜再生できる情報再生装置を提供することを課題とする。
【０００８】
【課題を解決するための手段】
本発明は、外部メモリに代えてコピー装置に装着することにより、コピー元の情報を適宜再生できる情報再生装置を提供するものである。この情報再生装置は、コピー装置側の外部メモリ装着部に装着可能な外形形状を有しており、また、外部メモリ装着部に配された給電及び信号送受信用のコネクタに接合可能なコネクタを有している。さらに、この情報再生装置には、コピー装置側から見て、あたかも外部メモリに見えるように、構成上の工夫が施されている。
【０００９】
本発明に係る情報再生装置の構成上の特徴は、以下のとおりである。
【００１０】
請求項１の発明は、コピー装置側の外部メモリ装着部に装着可能な外形形状を有すると共に、前記外部メモリ装着部に配された給電及び信号送受信用のコネクタに接合可能なコネクタを有する情報再生装置であって、
所定のファイルシステム情報を記憶するファイルシステム情報記憶手段と、前記コピー装置から前記コネクタを介して送信されたアドレス情報を解析するアドレス情報解析手段と、前記コピー装置から前記コネクタを介して送信された制御情報を解析する制御情報解析手段と、前記アドレス情報解析手段によって前記外部メモリ上における前記ファイルシステム情報の記憶アドレスが指定されたことが検出され、且つ、前記制御情報解析手段によって前記外部メモリからのデータ読み出し指令がなされたことが検出されたことに応じて、前記ファイルシステム記憶手段から前記ファイルシステム情報を読み出し、これを前記コピー装置に送信するファイルシステム情報送信手段と、前記コピー装置から前記コネクタを介して送信された情報を再生する再生手段と、前記制御情報解析手段によって前記外部メモリへのデータ書き込み指令がなされたことが検出されたことに応じて、前記コピー装置から前記コネクタを介して送信された情報を前記再生手段に供給する情報供給手段とを有することを特徴とする。
【００１１】
請求項２の発明は、請求項１に記載の情報再生装置おいて、前記コピー装置に装着可能な外部メモリであることを擬似的に表示する情報を、前記コネクタを介して前記コピー装置側に供給する疑似情報表示手段を有することを特徴とする。
【００１２】
請求項３の発明は、請求項１または２に記載の情報再生装置において、前記コピー装置から前記コネクタを介して送信されたファイルシステム情報を別途記憶する第２のファイルシステム情報記憶手段を備え、前記コピー装置からファイルシステム情報の再送信要求があった場合に、当該第２のファイルシステム情報記憶手段に記憶されたファイルシステム情報を、前記コネクタを介して前記コピー装置に送信することを特徴とする。
【００１３】
請求項４の発明は、コピー装置側の外部メモリ装着部に装着可能な外形形状を有すると共に、前記外部メモリ装着部に配された給電及び信号送受信用のコネクタに接合可能なコネクタを有する情報再生装置であって、
所定のファイルシステム情報を記憶するファイルシステム情報記憶手段と、前記コピー装置からファイルシステム情報の再送信要求があった場合に、前記ファイルシステム情報記憶手段に記憶されたファイルシステム情報を、前記コネクタを介して前記コピー装置に送信するファイルシステム情報送信手段と、前記コピー装置から前記コネクタを介して送信された情報を再生する再生手段と、前記コピー装置から前記外部メモリへの情報書き込み要求があった場合に、前記コピー装置から前記コネクタを介して送信された情報を前記再生手段に供給する情報供給手段とを有することを特徴とする。
【００１４】
上記発明に係る情報再生装置によれば、外部メモリからコピー装置に供給されると同様の情報（ファイルシステム情報や外部メモリであることを擬似的に表示する情報）を、コピー装置に適宜供給することができる。よって、外部メモリ装着部に外部メモリを装着した際と同様のコピー機能を、コピー装置にそのまま実行させることができるようになる。
【００１５】
本発明に係る情報再生装置をコピー装置に装着した後に、所定のコピー機能を実行すると、通常のコピー時と同様、コピー元メモリから情報が読み出され、これが、書き込みアドレス情報と制御情報と共に、順次情報再生装置に送信される。情報再生装置は、送信されてきた情報の内、制御情報に着目しこれが「書き込み指令」を表示するものであることに基づいて、情報再生モード（コピー元情報の再生が可能な状態）にあることを判別する。そして、コピー元メモリから送信されてきた情報を再生手段により順次再生し、当該情報の再生信号を生成・出力する。
【００１６】
このように、本発明に係る情報再生装置によれば、単に、コピー装置に本来のコピー機能を実行させるのみで、コピー元メモリの情報を適宜再生することができるようになる。
【００１７】
なお、上記では、たとえ選択された情報が情報再生装置に適さないものであっても、一旦コピー動作が開始されると、その情報のコピーが全て終了するまで、コピー動作が継続される。たとえば、情報再生装置が音声再生用である場合に、ユーザが誤って映像再生用の情報ファイルを選択すると、当該情報ファイルが終了するまで、コピー装置は、コピー動作を実行する。その間、情報再生装置は無駄な情報の提供を受けることとなる。
【００１８】
以下に示す請求項５〜１１の発明は、このような不都合を回避するためのものである。すなわち、ユーザがコピー元メモリの情報ファイルの選択を誤った場合等、コピー元メモリからの情報が情報再生装置に不適合である場合に、コピー装置側のコピー動作を迅速に中止せしめることを目的とするものである。
【００１９】
請求項５の発明は、請求項１ないし４の何れかに記載の情報再生装置において、前記コピー装置から送信された情報を解析しその内容を識別する情報解析手段と、前記コピー装置から送信された情報が前記再生手段に適合するものではない場合に、所定のエラー表示を行わしめるエラー表示手段とをさらに備えることを特徴とする。
【００２０】
請求項６の発明は、請求項５に記載の情報再生装置において、前記エラー表示手段は、コピー装置側にエラー表示を行わしめるための情報を、前記コネクタを介して前記コピー装置に出力する手段を含むことを特徴とする。
【００２１】
請求項７の発明は、請求項６に記載の情報再生装置において、前記エラー表示手段は、前記コピー装置に外部メモリが適正に装着されていないことを表示する情報を、前記コネクタを介して前記コピー装置に供給することを特徴とする。
【００２２】
請求項８の発明は、請求項７に記載の情報再生装置において、前記エラー表示手段は、前記コネクタの端子のうち、メモリ識別用の端子上の信号を外部メモリ非装着状態に変更することを特徴とする。
【００２３】
上記請求項５ないし８の発明によれば、コピー元メモリから選択された情報が情報再生装置に不適合であることをユーザに即座に知らしめることができる。これにより、コピー動作の中断および適正情報の再選択処理をユーザに促すことができる。
【００２４】
なお、上記エラー表示手段による表示は、モニター上に所定のエラー表示を行うものの他、スピーカ等の音声出力手段から所定の報知音（エラーメッセージや警告音等）を出力するものをも含むものである。
【００２５】
また、上記請求項８におけるエラー表示は、コピー装置側に所定のエラー表示を行わしめるものの他、情報再生装置側のモニター手段等に所定のエラー表示を行わしめるものを含むものである。
【００２６】
請求項９の発明は、請求項１ないし４の何れかに記載の情報再生装置において、前記コピー装置から送信された情報を解析しその内容を識別する情報解析手段と、前記コピー装置から送信された情報が前記再生手段に適合するものではない場合に、前記コピー装置のコピー動作を中段せしめるコピー中断手段と、さらに備えることを特徴とする。
【００２７】
請求項１０の発明は、請求項９に記載の情報再生装置において、前記コピー中断手段は、前記コピー装置に外部メモリが適正に装着されていないことを擬似的に表示する情報を、前記コネクタを介して前記コピー装置に供給することを特徴とする。
【００２８】
請求項１１の発明は、請求項１０に記載の情報再生装置において、前記コピー中断手段は、前記コネクタの端子のうち、メモリ識別用の端子上の信号を外部メモリ非装着状態に変更することを特徴とする。
【００２９】
上記請求項９ないし１１の発明によれば、コピー元メモリから選択された情報が情報再生装置に不適合である場合に、コピー装置におけるコピー動作を直ちに中断せしめることができる。これにより、無駄なコピー動作を回避できる。
【００３０】
上記請求項５ないし８の発明におけるエラー表示処理と、請求項９ないし１１の発明におけるコピー中断処理は、それぞれ個別に行ってもよく、また、同時に行っても良い。
【００３１】
なお、上記請求項８および１１の発明は、共通の処理すなわち「コネクタの端子のうち、メモリ識別用の端子上の信号を外部メモリ非装着状態に変更する」との処理を特徴とするものである。これは、かかる共通の処理の結果、通常、コピー装置側にてエラー表示とコピー中断の異なる２つの動作がそれぞれ実行されるからである。コピー装置は、かかる処理によって、コピー動作の最中に外部メモリが取り外されたと判別する。よって、それまでのコピー動作を中断し、また、コピーエラーの表示を自己のモニター上に表示する。このように、上記請求項８および１１の発明は、処理としては共通しているが、その処理の結果として、コピー装置側に異なる２つの動作、すなわち、エラー表示とコピー中断動作を、同時に実行させ得るものである。
【００３２】
同様に、上記請求項７および１０の発明は、共通の処理すなわち「コピー装置に外部メモリが適正に装着されていないことを擬似的に表示する情報を、前記コネクタを介して前記コピー装置に供給する」との処理を特徴とするものである。かかる共通の処理の結果、通常、コピー装置側にてエラー表示とコピー中断の異なる２つの動作がそれぞれ実行される。
【００３３】
請求項１２の発明は、請求項９ないし１１の何れかに記載の情報再生装置において、前記コピー中断手段によるコピー動作の中断処理の後、前記コピー装置に装着可能な外部メモリが新たに装着されたことを擬似的に表示する情報を、前記コネクタを介して前記コピー装置に出力する再装着疑似表示手段とをさらに有することを特徴とする。
【００３４】
請求項１３の発明は、請求項１２に記載の情報再生装置において、前記コピー装置によるコピー動作が中断されたことを検出するコピー中断検出手段をさらに有し、前記再装着疑似表示手段は、当該コピー中断検出手段にてコピー動作の中断が検出されたことに応じて、前記コピー装置に装着可能な外部メモリが新たに装着されたことを擬似的に表示する情報を、前記コネクタを介して前記コピー装置に出力することを特徴とする。
【００３５】
上記請求項１２および１３の発明によれば、上記コピー中断処理を行った後、コピー装置を直ちに再生スタンバイ状態に設定することができ、その後の再生動作を円滑かつ迅速に行うことができる。
【００３６】
本発明の特徴は、以下に示す実施の形態の説明により更に明らかとなろう。
【００３７】
ただし、以下の実施の形態は、あくまでも、本発明の一つの実施形態であって、本発明ないし各構成要件の用語の意義は、以下の実施の形態に記載されたものに制限されるものではない。
【００３８】
【発明の実施の形態】
以下、本発明の実施の形態につき図面を参照して説明する。
【００３９】
まず、図１に実施の形態に係るコピー装置１０とカードアダプタ３０（情報再生装置）の概観を示す。
【００４０】
コピー装置１０には、その左側上面にディスクカバー１１が配されている。かかるディスクカバー１１は、ディスクイジェクトボタン１２を操作することにより開放される。ディスクカバー１１の開放により、ディスク装着部を外部に臨ませることができる。ディスクカバー１１を開放した状態でディスクをディスク装着部に装着し、しかる後、ディスクカバー１１を閉じることにより、ディスクがコピー装置１０にセットされる。
【００４１】
また、コピー装置１０には、その右側前面にカードスロット１３が配されている。かかるカードスロット１３は、メモリカード（図示省略）の外形寸法よりも小許だけ大きな寸法を有している。カードスロット１３の最深部には、メモリカードのコネクタと電気的に接合するコネクタが配されている。メモリカードは、コネクタ側を前にしてカードスロット１３に挿入することにより、コピー装置１０にセットされる。コピー装置１０にセットされたメモリカードは、カードイジェクトレバー１４を前方に倒すことにより、コピー装置１０から取り外すことができる。
【００４２】
また、コピー装置１０には、その右側上面にバッテリーカバー１５が配されている。かかるバッテリーカバー１５は、バッテリーイジェクトボタン１６を操作することにより開放される。バッテリーカバー１５の開放により、バッテリー装着部を外部に臨ませることができ、これによりバッテリーの装着・交換が可能となる。
【００４３】
さらに、コピー装置１０には、その上面中央にディスプレイ１７と操作ボタン部１８が配されている。このうち、ディスプレイ１７は、コピーすべき情報ファイルのタイトル等の表示、またはコピーエラー（コピー不可）の表示等を行うためのものである。また、操作ボタン部１８は、コピー指令等の操作指令をコピー装置１０に入力するためのものである。
【００４４】
かかるコピー装置１０にディスクおよびメモリカードをセットした後、操作ボタン部１８を操作することにより、ディスク内の所定の情報ファイルをメモリカードにコピーすることができ、また、逆に、メモリカード内の所定の情報ファイルをメモリカードにコピーすることができる。
【００４５】
図１に図示したカードアダプタ３０は、上記メモリカードと略同一の外形形状を有している。カードアダプタ３０の前面には、メモリカードと同一のコネクタが配されている。カードアダプタ３０をコネクタ側からカードスロット１３に挿入すると、カードアダプタ３０のコネクタとカードスロット最深部のコネクタとが接合する。これにより、カードアダプタ３０がコピー装置１０にセットされる。
【００４６】
しかして、カードアダプタ３０とディスクとをコピー装置１０にセットした後、ディスク内の所定の情報ファイルを選択しこれをコピーする指令を入力すると、当該情報ファイルがディスクから読み出され、これがカードアダプタ３０に転送される。転送された情報は、カードアダプタ３０内の再生回路によって再生され、ピンジャック３２から出力される。なお、図１に図示したカードアダプタは、音楽情報を再生するためのものである。
【００４７】
よって、ピンジャック３２にヘッドフォンを接続することにより、ディスクに格納されている音楽情報ファイルを聴取することができる。再生音量は、ボリューム３１を調整することにより加減することができる。
【００４８】
図２に、上記コピー装置１０の構成例を示す。
【００４９】
図示の如く、コピー装置１０は、上記図１に示す構成の他、ディスクドライブ１０１、復調回路１０２、誤り訂正回路１０３、メモリ１０４、メモリカードインタフェース１０５、誤り訂正用パリティ付加回路１０６、変調回路１０７、コントローラ１０８を有している。
【００５０】
ディスクドライブ１０１は、上記ディスク装着部に装着されたディスクを駆動すると共に、コントローラ１０８の制御に従って、ディスクに対する信号の書き込みおよび読み出しを実行する。復調回路１０２は、ディスクから読み出された信号をデータ列に復調する。誤り訂正回路１０３は、復調されたデータ列に対し誤り訂正処理を実行し、訂正後のデータ列を出力する。メモリ１０４は、コントローラ１０８の制御に従って、データを一時的に記憶する。メモリカードインタフェース１０５は、メモリカード２０との間のデータ授受を制御する。
【００５１】
誤り訂正用パリティ付加回路１０６は、メモリ１０４から供給されたデータ列に対し所定の誤り訂正符号化処理を実行し、これに誤り訂正用パリティを付加する。変調回路１０７は、誤り訂正パリティ付加後のデータ列をディスクの記録形式に応じた変調方式に従って変調し、記録信号を生成する。コントローラ１０８は、内部ＲＯＭに記憶された制御プログラムに従って各部を制御する。
【００５２】
なお、同図に示す如く、上記操作ボタン部１８は、操作ボタン１８１〜１８５の５つの操作ボタンから構成されている。当該操作ボタンを操作することによるコピー機能の実行については、追って詳述する。
【００５３】
図３にメモリカード２０の構成を示す。
【００５４】
メモリカード２０は、コネクタ２０１と、コントローラ２０２と、アドレスデコーダ２０３と、メモリモジュール２０４によって構成されている。
【００５５】
コネクタ２０１は、上記の如く、メモリカード２０の前面に配されており、コピー装置側のカードスロット１３の最深部に配されたコネクタと接合して電気信号の授受を行う。コントローラ２０２は、内部ＲＯＭに記憶された制御プログラムに従って各部を制御する。アドレスデコーダ２０３は、コピー装置１０のメモリカードインタフェース１０５から受信したアドレス情報をデコードし、これをコントローラ２０２に供給する。
【００５６】
かかる構成において、コントローラ２０２は、メモリカードインタフェース１０５から受信したアドレス情報および制御信号に従って、メモリモジュール２０４に対するデータの書き込みおよび読み出しを制御する。すなわち、メモリカードインタフェース１０５からの制御信号が書き込み指令（ＷＲ）を含むものである場合、コントローラ２０２は、メモリカードインタフェース１０５から受信したデータを、アドレス情報によって指定されたメモリモジュール２０４上のアドレスに書き込む。また、メモリカードインタフェース１０５からの制御信号が読み出し指令（ＲＥ）を含むものである場合、コントローラ２０２は、アドレス情報によって指定されたメモリモジュール２０４上のアドレスからデータを読み出し、これをメモリカードインタフェース１０５に送信する。
【００５７】
メモリカードインタフェース１０５から送信される制御信号には、上記ＷＲ、ＲＥの指令信号の他、メモリモジュール２０４に対するデータの書き込みおよび読み出しをイネーブル状態にタイミング制御する、所謂チップセット信号（ＣＳ）も含まれる。また、コントローラ２０２とメモリカードインタフェース１０５との間のデータ授受（ハンドシェイク）を円滑に制御するための信号、たとえばデータ送信待機を要求するウエイト信号（Ｗａｉｔ）等も、コントローラ２０２とメモリカードインタフェース１０５との間で授受される。
【００５８】
なお、メモリカード２０のコネクタ２０１は、複数の接合端子から構成されており、接合端子の数や、各接合端子にて授受される信号、情報の種別等は、通常、規格等によって規定されている。したがって、上記制御信号、アドレス情報、データは、予め決められた接合端子を介してメモリカードインタフェース１０５に送受信される。また、メモリカード２０に対する電源（Ｖｃｃ）の供給も、予め決められた接合端子を介して行われる。
【００５９】
さらに、所定の接合端子は、そこから出力される電気信号の状態によって当該メモリカード２０の種別を表示するよう機能する。具体的には、所定番号の接合端子の電気信号がＨｉｇｈまたはＬｏｗに固定されることによって、当該メモリカード２０の種別が表示される。
【００６０】
コピー装置１０は、かかる接合端子上の電気信号の状態を検知することによって、当該メモリカードの種別とその適否を判別する。そして、その判別結果に従ってコピー機能を実行する。
【００６１】
次に、上記コピー装置１０のコピー動作につき、図４を参照して説明する。なお、コピー動作は、便宜上、ディスクからメモリカードに対してデータをコピーする際の動作のみを説明する。
【００６２】
まず、コピー装置１０にディスクを装着すると、ディスク内のファイルシステム情報が読み出され、メモリ１０４に記憶される。しかる後、メモリカード２０がコピー装置１０に装着されると（Ｓ１０１）、上記接合端子を介してメモリカード２０に電源（Ｖｃｃ）が供給され、コネクタ２０１の接合端子の内、上記種別表示用の接合端子上に所定の電気信号が現れる。コピー装置１０は、かかる電気信号の状態を検知することにより、当該メモリカード２０が適正なものか否かを判別する（Ｓ１０２）。そして、当該メモリカード２０が不適正であると判別すると、ディスプレイ１７上に所定のエラー表示を行う（Ｓ１１６）。
【００６３】
上記Ｓ１０２にてメモリカード２０が適正であると判別すると、次に、コピー装置１０は、メモリカード２０に対しファイルシステム情報の転送要求を行う。具体的には、ファイルシステム情報の蓄積エリアであるアドレス情報をメモリカード２０に転送すると共に、読み出し指令（ＲＥ）を含む制御信号をメモリカード２０に転送する（Ｓ１０３）。これを受けて、メモリカード２０のコントローラ２０２は、メモリモジュール２０４上の指定アドレスからデータ（ファイルシステム情報）を読み出し（Ｓ１０４）、これをコピー装置１０に転送する（Ｓ１０５）。コピー装置１０は、転送されたファイルシステム情報をメモリ１０４に記憶する（Ｓ１０６）。
【００６４】
しかる後、コピー装置１０は、コピー指令が入力されるのを待つ（Ｓ１０７）。コピー指令の入力は以下のようにして行われる（図２参照）。
【００６５】
まず、ユーザは、操作ボタン１８２または１８３を操作して、コピー元メモリ（たとえばディスク）とコピー先メモリ（たとえばメモリカード２０）を指定する。ここで、操作ボタン１８２は、メモリカード２０からディスクへのコピーを指定し、操作ボタン１８３は、ディスクからメモリカード２０へのコピーを指定する。何れかの操作ボタンの操作によりコピー先メモリとコピー元メモリが指定されると、メモリ１０４に記憶されているコピー元メモリのファイルシステム情報が参照され、コピー元メモリに記憶されている情報ファイルがディスプレイ１７に一覧表示される。
【００６６】
しかる後、ユーザは、操作ボタン１８２または１８３を操作して、たとえばカーソルを所望の情報ファイルに位置せしめる。そして、操作ボタン１８４を操作して、その情報ファイルをコピー対象として確定する。かかる操作を複数回繰り返すことにより、複数の情報ファイルをコピー対象として選択することができる。また、一旦選択した情報ファイルをコピー対象から外す場合には、その情報ファイルにカーソルを位置付けた後、操作ボタン１８５を操作する。
【００６７】
以上の操作によりコピー対象の情報ファイルの指定がなされると、最後に、ユーザは、操作ボタン１８１を操作する。かかる操作により、コピー指令の入力操作が完了し、コピー動作が実行される。
【００６８】
なお、上記コピー入力操作において、コピー対象のファイル情報がコピー禁止とされている場合には、その旨の表示がディスプレイ１７に表示される。また、コピー対象のファイル情報の全データ容量がコピー先メモリの空き容量を越える場合には、その旨の表示がディスプレイ１７に表示される。ここで、コピー禁止やコピー可否の判別は、メモリ１０４に記憶されたコピー元メモリおよびコピー先メモリのファイルシステム情報を参照して行われる。
【００６９】
図４に戻り、Ｓ１０７にてディスクからメモリカード２０へのコピー指令がなされると、コピー対象の情報ファイルデータがディスクから読み出され（Ｓ１０８）、これが、アドレス情報（ファイルシステム情報に基づいてメモリモジュール２０４の空き領域を指定）および制御信号（ＲＷ、ＣＳ、Ｗａｉｔ等）と共にメモリカード２０に転送される（Ｓ１０９）。これを受けて、メモリカード２０は、転送された情報ファイルデータを指定アドレスに順次書き込む（Ｓ１１０）。そして、全てのファイルデータの書き込みが終了すると（Ｓ１１１）、コピー装置１０は、メモリ１０４に記憶されているメモリカード２０のファイルシステム情報を更新する（Ｓ１１２）。
【００７０】
また、更新されたファイルシステム情報は、アドレス情報（ファイルシステム情報の記憶領域を指定）および制御信号（ＲＷ、ＣＳ、Ｗａｉｔ等）と共にメモリカード２０に転送される（Ｓ１１３、１１４）。これを受けて、メモリカード２０は、転送されたファイルシステム情報を指定アドレスに順次書き込む（Ｓ１１５）。これにより、当該情報ファイルのコピー動作が終了する。
【００７１】
次に、カードアダプタ３０の構成につき図５を参照して説明する。
【００７２】
カードアダプタ３０は、図１に示す構成の他、コネクタ３０１と、アドレスデコーダ３０２と、コントローラ３０３と、ＲＯＭ（Ｒｅａｄ−Ｏｎｌｙ−Ｍｅｍｏｒｙ）３０４と、セレクタ３０５と、メモリ３０６と、ＲＯＭ３０７と、セレクタ３０８と、データデコーダ３０９と、Ｄ／Ａ変換回路３１０と、ヘッドホンアンプ３１１とから構成されている。
【００７３】
コネクタ３０１は、コピー装置側のコネクタと接合して信号の授受を行うためのもので、上記メモリカード２０のコネクタと同一の接合端子を備えている。当該コネクタ３０１の接合端子のうち、種別表示のための接合端子には、上記メモリカード２０における場合と同一の電気信号が出力される。従って、当該カードアダプタ３０をコピー装置１０に装着した場合、コピー装置１０は、当該カードアダプタ３０を上記メモリカードとして認識する。
【００７４】
アドレスデコーダ３０２は、コピー装置１０のメモリカードインタフェース１０５から受信したアドレス情報をデコードし、これをコントローラ３０３に供給する。コントローラ３０３は、内部ＲＯＭに記憶された制御プログラムに従って各部を制御する。
【００７５】
ＲＯＭ３０４は、上記メモリカード２０のファイルシステム情報と同一フォーマットの情報（以下、「疑似ファイルシステム情報」という）を記憶している。なお、この疑似ファイルシステム情報は、仮想的に、データ領域には如何なる情報ファイルも記憶されていない（データ領域に記憶されているファイル数＝０）ことを示すものとする。
【００７６】
セレクタ３０５は、スイッチング回路によって構成されており、コントローラ３０３の制御に従って、データラインを接続・開放する。メモリ３０６は、コピー装置３０６から転送された更新ファイルシステム情報を記憶する。ＲＯＭ３０７は、データデコーダ３０９の初期値を記憶している。セレクタ３０３は、コントローラ３０３の制御に従って、データラインを接続・開放する。
【００７７】
データデコーダ３０９は、コピー装置１０から転送される音楽データをデコードする。たとえば、コピー装置１０からの音楽データがＭＰ３データである場合、デコーダ３０９は、ＭＰ３デコーダとされる。Ｄ／Ａ変換回路３１０は、データデコーダ３０９からのデータをアナログ音楽信号に変換する。ヘッドホンアンプ３１１は、アナログ音楽信号を増幅・整形する。
【００７８】
かかる構成において、コントローラ３０３は、各部を以下のように制御する。
【００７９】
カードアダプタ３０がコピー装置３０に装着され、コネクタ３０１を介して電源（Ｖｃｃ）が供給されると、コントローラ３０３は、セレクタ３０８を制御して、ＲＯＭ３０７の初期値データをデータデコーダ３０９にセットする。
【００８０】
コピー装置１０からファイルシステム情報の転送要求があった場合、コントローラ３０３は、ＲＯＭ３０４から疑似ファイルシステム情報を読み出し、これをコピー装置１０に転送する。具体的には、コピー装置３０１からの制御信号（ＲＥ）とアドレス情報（ファイルシステム情報のアドレスを指定）に基づいてファイルシステム情報の転送要求を検出する。そして、セレクタ３０５を制御してコネクタ３０１のデータ信号ラインとＲＯＭ３０４とを接続し、ＲＯＭ３０４の疑似ファイルシステム情報をコピー装置１０に供給する。
【００８１】
コピー装置１０から情報ファイルデータ（音楽データ）の書き込み要求があった場合、コントローラ３０３は、コピー装置１０からの情報ファイルデータを順次データデコーダ３０９に供給する。具体的には、コピー装置３０１からの制御信号（ＷＲ）とアドレス情報（書き込みアドレスを指定）に基づいて情報ファイルデータの書き込み要求を検出する。そして、セレクタ３０５と３０８を制御してコネクタ３０１のデータ信号ラインとデータデコーダ３０９とを接続し、コピー装置１０からの情報ファイルデータをデータデコーダ３０９に供給する。
【００８２】
データデコーダ３０９は、供給されたデータを順次デコードし、これをＤ／Ａ変換回路３１０に供給する。Ｄ／Ａ変換回路３１０は、これをアナログ音楽信号に変換する。このようにして生成されたアナログ音楽信号は、ボリューム３１およびヘッドホンアンプ３１１を介して所定音量の信号に調整された後、ピンジャック３２から出力される。
【００８３】
コピー動作の終了後、コピー装置１０から更新ファイルシステム情報の書き込み要求があった場合、コントローラ３０３は、コピー装置１０からのファイルシステム情報をメモリ３０６に書き込む。具体的には、コピー装置３０１からの制御信号（ＷＲ）とアドレス情報（ファイルシステム情報のアドレスを指定）に基づいてファイルシステム情報の書き込み要求を検出する。そして、セレクタ３０５を制御してコネクタ３０１のデータ信号ラインとメモリ３０６とを接続し、更新ファイルシステム情報をメモリ３０６に記憶せしめる。
【００８４】
なお、かかる更新ファイルシステム情報の記憶後、再度、コピー装置１０からファイルシステム情報の転送要求があった場合、コントローラ３０３は、メモリ３０６に記憶された更新ファイルシステム情報を読み出し、これをコピー装置１０に転送する。具体的には、コピー装置３０１からの制御信号（ＲＥ）とアドレス情報（ファイルシステム情報のアドレスを指定）に基づいてファイルシステム情報の転送要求を検出する。そして、セレクタ３０５を制御してコネクタ３０１のデータ信号ラインとメモリ３０６とを接続し、メモリ３０６の更新ファイルシステム情報をコピー装置１０に転送する。
【００８５】
なお、コントローラ３０３は、上記データ授受の際に、メモリカード２０のコントローラ２０２と同様のハンドシェイク制御を実行する。
【００８６】
次に、コピー装置１０に上記カードアダプタ３０を接続した際のコピー動作（ディスクからカードアダプタ）につき、図６を参照して説明する。なお、コピー装置１０側の動作は、上記図４と同一であるので説明を省略し、ここでは、カードアダプタ３０側の動作のみを説明する。また、上記カードアダプタ３０を接続した場合、ディスクからカードアダプタへのコピー動作は、情報ファイルの再生動作となり、コピー対象ファイルの選択動作は、再生対象ファイルの選曲動作となる。
【００８７】
カードアダプタ３０が装着され、それが適正であると認識されると、コピー装置１０からファイルシステム情報の転送要求がなされる（Ｓ１０３）。カードアダプタ３０は、かかる転送要求を受けて、ＲＯＭ３０４から疑似ファイルシステム情報を読み出し（Ｓ２０１）、これをコピー装置１０に転送する（Ｓ２０２）。かかる転送を受けて、コピー装置１０は、疑似ファイルシステム情報をメモリ１０４に記憶する（Ｓ１０６）。
【００８８】
しかる後、所定の情報ファイルが選択され、メモリカードへのコピー指令が入力されると、当該情報ファイルデータ（音楽データ）がディスクから読み出され、これが、アドレス情報（メモリモジュール２０４の空き領域を指定）および制御信号（ＲＷ、ＣＳ、Ｗａｉｔ等）と共にカードアダプタ３０に転送される（Ｓ１０９）。これを受けて、カードアダプタ３０は、情報ファイルデータを順次再生し、そのアナログ音楽信号をピンジャック３２から出力する（Ｓ２０３）。そして、全てのファイルデータの再生が終了すると（Ｓ２０４）、コピー装置１０は、メモリ１０４に記憶されているカードアダプタ３０の疑似ファイルシステム情報を更新する（Ｓ１１２）。
【００８９】
また、更新された疑似ファイルシステム情報は、アドレス情報（ファイルシステム情報の記憶領域を指定）および制御信号（ＲＷ、ＣＳ、Ｗａｉｔ等）と共にカードアダプタ２０に転送される（Ｓ１１３、１１４）。これを受けて、カードアダプタ３０は、転送された疑似ファイルシステム情報をメモリ３０６に記憶する（Ｓ２０５）。これにより、当該情報ファイルの再生動作が終了する。
【００９０】
ところで、上述の再生動作は、コピー装置１０においてはコピー動作として実行されている。したがって、再生動作を繰り返すと、コピー装置１０のメモリ１０４内の疑似ファイルシステム情報が更新され、カードアダプタ３０の仮想的なメモリ空き容量が徐々に減少する。そして、所定ファイル数の再生を実行すると、カードアダプタの仮想的なメモリ空き容量が、コピー元の情報ファイルのデータ容量を下回ることとなり、それ以上の情報ファイルの再生（コピー）が不可能となってしまう。かかる場合、コピー装置１０のディスプレイ１７には、たとえば再生（コピー）エラーを示す表示がなされる。
【００９１】
かかる再生（コピー）エラーは、たとえば、カードアダプタ３０をコピー装置１０から一旦取り外し、これを再度コピー装置１０に装着することにより解消される。カードアダプタ３０を再度コピー装置１０に装着すると、メモリ１０４に記憶されている更新済み疑似ファイルシステム情報が消去される。そして、ＲＯＭ３０４から新たに疑似ファイルシステム情報が読み出され、これがメモリ１０４に記憶される。これにより、カードアダプタ３０の仮想的なメモリ容量は最大容量（記憶されたファイル数＝０）となり、上記と同様の手順により、所望の音楽ファイルの再生が可能となる。
【００９２】
なお、かかるリセット動作は、カードアダプタ３０を実際に取り外し再装着する方法の他、コネクタ３０１の種別表示用接合端子の電気信号を制御することによっても実行できる。すなわち、コネクタ３０１の接合端子のうち、種別表示のための接合端子の電気信号を全て立ち下げ、コピー装置１０に対し、外部メモリ（カードアダプタ）が取り外されたことを擬似的に表示せしめる。しかる後、種別表示のための接合端子に、メモリカード２０における場合と同一の電気信号を出力する。これにより、コピー装置１０に対し、外部メモリ（カードアダプタ）が新たに装着されたことを擬似的に表示せしめる。これを受けて、コピー装置１０は、上記と同様、ファイルシステム情報の転送要求を、コネクタ３０１を介して、カードアダプタ３０に送る。以後、上記と同様にして、擬似的なファイルシステム情報がコピー装置１０に記憶され、コピー元情報の再生動作が可能となる。
【００９３】
以上、本実施の形態によれば、コピー装置１０に新たな機能を付加することなく、コピー動作をそのまま実行させるのみで、所望の音楽情報ファイルを適宜選択して再生することができる。
【００９４】
ところで、上記実施の形態では、コピー装置１０は、単に選択された情報ファイルをコピーするものであるから、たとえば、ユーザが誤って映像再生用の情報ファイルを選択した場合にも、当該情報ファイルが終了するまで、コピー動作が実行される。その間、カードアダプタ３０は、無音状態を維持することとなり、結局、無駄な情報を受け続けることとなる。
【００９５】
以下の実施の形態は、かかる不都合を回避するものである。すなわち、カードアダプタ３０のデコーダ３０９に適合しないデータ（映像データ等）が提供された場合に、コピー装置１０にエラー表示を行わしめると共に、コピー装置１０のコピー動作を中断させるものである。
【００９６】
図７に、実施の形態に係るカードアダプタ３０の構成例を示す。かかるカードアダプタ３０は、上記図５のカードアダプタ３０に比べ、データ解析部３２１とメモリ識別情報コントロール部３２２が新たに配設されている。その他の構成は、上記図５と同一であるので説明を省略する。
【００９７】
データ解析部３２１は、コントローラ３０３からの指令に従ってデータの解析を行い、当該データが、データデコーダ３０９によるデコードに適した音声データを含むかを判別する。メモリ識別情報コントロール部３２２は、受信データが不適合であることを表示する情報をデータ解析部３２１から受けたことに応じて、コネクタ３０１の接合端子のうち、種別表示のための接合端子の電気信号を全て立ち下げる。
【００９８】
かかる構成において、コントローラ３０３が、コピー装置３０１からの制御信号（ＷＲ）とアドレス情報（書き込みアドレスを指定）に基づいて、情報ファイルデータの書き込み要求を検出すると、コントローラ３０３は、データ解析部３２１にデータ解析指令を送る。かかる指令を受けて、データ解析部３２１は、上記の如くデータの解析を行い、かかるデータが、データデコーダ３０９によるデコードに適した音声データを含む場合には、セレクタ３０８を介して、当該データをデータデコーダに送る。また、受信したデータがデータデコーダ３０９によるデコードに適した音声データを含まない場合には、デコーダに対する当該データの出力を中止し、さらに、受信データが不適合である旨を表示する情報をメモリ識別情報コントロール部３２２に送る。かかる情報を受けて、メモリ識別情報コントロール部３２２は、コネクタ３０１の接合端子のうち、種別表示のための接合端子の電気信号を全て立ち下げる。これにより、コピー装置１０に対し、外部メモリ（カードアダプタ）が取り外されたことを擬似的に表示せしめる。これを受けてコピー装置１０は、上記情報ファイルのコピー動作を中断し、さらに所定のコピーエラー表示をディスプレイ１７上に表示する。
【００９９】
上記処理により、コピー装置１０からのデータ転送が中止されると、データ解析部３２１は、データ転送が中止されたことを表示する情報をメモリ識別情報コントロール部３２２に送る。これを受けて、メモリ識別情報コントロール部３２２は、コネクタ３０１の接合端子のうち、種別表示のための接合端子に、メモリカード２０における場合と同一の電気信号を出力する。これにより、コピー装置１０に対し、外部メモリ（カードアダプタ）が新たに装着されたことを擬似的に表示せしめる。これを受けて、コピー装置１０は、上記と同様、ファイルシステム情報の転送要求を、コネクタ３０１を介して、カードアダプタ３０に送る。以後、上記と同様にして、擬似的なファイルシステム情報がコピー装置１０に記憶され、コピー元情報の再生動作が可能となる。
【０１００】
なお、上記種別表示のための接合端子に対しメモリカード２０における場合と同一の電気信号を再出力するタイミングは、上記の如く、データ解析部３２１にてデータ転送の中断を検出したタイミングとする他、当該接合端子の電気信号を全て立ち下げた後、一定の時間（数秒）が経過したタイミングとしても良い。
【０１０１】
上記において、データ解析部３２１によるデータ適否の判定は、たとえばデータストリーム中にオーディオデータを示す情報が含まれているかで判定する。たとえば、ＭＰＥＧ１やＭＰＥＧ２のデータ構造では、各パケットにストリームＩＤが格納されている。かかるストリームＩＤを抽出し、それがＭＰＥＧオーディオ・ストリームを示すストリームＩＤである場合に、データ解析部３２１は、受信データがデータデコーダ３０９に適したものと判定する。また、かかるストリームＩＤを一定期間抽出できない場合、あるいは一定期間に抽出したストリームＩＤがＭＰＥＧオーディオ・ストリームを示すストリームＩＤを一切含まない場合に、データ解析部３２１は、受信データがデータデコーダ３０９に適さないものと判定する。なお、かかる場合におけるデータデコーダ３０９は、当然ながら、ＭＰＥＧ１やＭＰＥＧ２のデータ構造にて転送されるオーディオストリームをデコードし得るものとして構成されている。
【０１０２】
図８に、上記図７のカードアダプタ３０をコピー装置に装着した際の再生動作フォローチャートを示す。かかるフローチャートは、上記図６のフローチャートに比べ、Ｓ２１１とＳ２１２が新たに追加されている。すなわち、上記の如くデータ解析部３２１にて転送データがデータデコーダ３０９に適したものであると判定されると（Ｓ２１１）、当該データは、セレクタ３０８を介してデータでコーダ３０９に送られ再生される（Ｓ２０３）。また、転送データがデータデコーダ３０９に適したものでないと判定されると（Ｓ２１１）、メモリ識別情報コントロール部３２２にてコネクタ３０１のメモリ識別端子の電気信号が全て立ち下げられる（Ｓ２１２）。これにより、上記の如く、コピー装置１０のディスプレイ１７に所定のエラー表示がなされる（Ｓ１１６）と共に、コピー装置１０によるコピー動作が中断される。
【０１０３】
このように、かかる実施の形態によれば、無駄なコピー動作が回避を回避することができる。また、ユーザにファイル選択誤りを知らしめることにより、ファイルの再選択を促すことができる。
【０１０４】
加えて、エラー表示およびコピー中断処理が行われた後、コネクタ３０１の種別表示用接合端子に再び、メモリカード２０における場合と同一の電気信号を出力することによって、コピー装置を直ちに再生スタンバイ状態に設定するものであるから、その後の再生動作を円滑かつ迅速に行うことができる。このように、本実施の形態によれば、上記第１の実施形態に比べ、ユーザの利便性を、さらに向上させることができる。
【０１０５】
なお、本発明は上記実施の形態に限定されるものではなく、他に、種々の変更が可能であることは言うまでもない。たとえば、上記実施の形態では、メモリカードないしカードアダプタの装着部をカードスロット１３にて構成し、当該カードスロット１３にメモリカードないしカードアダプタを挿入するようにしたが、かかる装着部を、メモリカードないしカードアダプタのコネクタ部分にのみ電気的・機械的に接合するモジュールにより構成し、当該モジュールを、信号ケーブルを介してコピー装置１０に接続するようにしても良い。
【０１０６】
また、上記実施の形態では、アナログ音楽信号をピンジャック３２から出力するようにしたが、内蔵アンテナ素子により無線にてアナログ音声信号を出力するようにしても良い。
【０１０７】
さらに、上記実施の形態では、カードアダプタ３０は、再生に必要な回路のみを備える構成としたが、図４に示すメモリカード２０の構成をも同時に備えるようにしてもよい。かかる場合、たとえば、カードアダプタ３０に切替えスイッチを配し、カードアダプタをメモリカードとして使用するか、再生装置として使用するかを、適宜切替えられるようにしても良い。
【０１０８】
その他、上記実施形態では音楽情報ファイルの再生例について説明したが、本発明は、映像その他の情報ファイルの再生にも適用可能である。
【０１０９】
本発明の実施の形態は、本発明の技術的思想の範囲内において、適宜、種々の変更が可能である。
【０１１０】
【発明の効果】
以上、本発明に係る情報再生装置をコピー装置に装着すれば、コピー装置側に新たな機能を付加することなく、コピー動作をそのまま実行させるのみで、コピー元メモリのデータを適宜再生することができるようになる。
【０１１１】
また、ユーザがコピー元メモリの情報ファイルの選択を誤った場合等、コピー元メモリからの情報が情報再生装置に不適合である場合に、コピー装置側のコピー動作を迅速に中止せしめることができる。
【図面の簡単な説明】
【図１】実施の形態に係るコピー装置とカードアダプタの概観を示す図
【図２】実施の形態に係るコピー装置の構成を示す図
【図３】実施の形態に係るメモリカードの構成を示す図
【図４】実施の形態に係るコピー動作処理を示すフローチャート
【図５】実施の形態に係るカードアダプタの構成を示す図
【図６】実施の形態に係る再生動作処理を示すフローチャート
【図７】他の実施の形態に係るカードアダプタの構成を示す図
【図８】他の実施の形態に係る再生動作処理を示すフローチャート
【符号の説明】
３０　カードアダプタ
３１　ボリューム
３２　ピンジャック
３０１　コネクタ
３０２　アドレスデコーダ
３０３　コントローラ
３０４　ＲＯＭ
３０６　メモリ
３０９　データデコーダ
３１０　Ｄ／Ａ変換回路
３１１　ヘッドホンアンプ
３２１　データ解析部
３２２　メモリ識別情報コントロール部
【図１】
2004086237.tif 000003
【図２】
2004086237.tif 000004
【図３】
2004086237.tif 000005
【図４】
2004086237.tif 000006
【図５】
2004086237.tif 000007
【図６】
2004086237.tif 000008
【図７】
2004086237.tif 000009
【図８】
2004086237.tif 000010